(57)【要約】      （修正有）【課題】カメラを保持するのに充分な強度を保ちつつも首や肩に掛けたときに吊り紐部が食い込まず、かつ、カメラを包む保護用のカバーとしても兼用できるカメラ用ストラップを提供する。【解決手段】カメラ本体５０に取り付けられて首や肩に掛ける吊り紐部１０と、吊り紐部の端部を固定する留め具２０とを有するカメラ用ストラップ１であって、吊り紐部は、少なくとも対向する一対の角部を有し、これら一対の角部を結ぶ対角線に沿う方向を長手方向とする形状を有する布製のストールからなり、ストールの対角線方向に対向する固定端１１Ａ，１１Ｂをカメラ本体の環状部材５２Ａ，５２Ｂに挿通し、留め具２０によって留めることで、カメラ本体に取り付ける。【選択図】図１
0003194006.tif 000002
【実用新案登録請求の範囲】
【請求項１】
カメラ本体に取り付けられて首や肩に吊るして掛ける吊り紐部と、前記吊り紐部の両端部それぞれを固定する一対の留め具とを有するカメラ用ストラップであって、
前記吊り紐部は、少なくとも対向する一対の角部を有し、これら一対の角部を結ぶ対角線に沿う方向を長手方向とする形状を有する布製のストールであり、
前記ストールの対角線方向に対向する一対の角部を固定端とし、これら一対の固定端を細帯状にして前記カメラ本体の取付具に挿通し、かつ前記留め具によって留めることで、前記吊り紐部を前記カメラに取り付けるように構成した
ことを特徴とするカメラ用ストラップ。
【請求項２】
前記吊り紐部は、長方形状のストールである
ことを特徴とする請求項１に記載のカメラ用ストラップ。
【考案の詳細な説明】
【技術分野】
【０００１】
本考案は、カメラ用のストラップに関し、特に首や肩に掛けて使用するストラップに関する。
【背景技術】
【０００２】
従来、首や肩に掛けて使用するカメラ用のストラップ（いわゆるネックストラップ）がある。このようなネックストラップは、カメラの左右端を保持し且つ首や肩に掛けることができる長さのベルト状の吊り紐部と、当該吊り紐部の両端部を留めるための留め具とで構成される。ここで、吊り紐部の材質は、カメラの重量を保持するために、所定の強度を有する材料を選択する必要がある。特に、一眼レフカメラのように重量のあるカメラを保持する場合には、カメラの荷重に耐えるため、充分な強度の材料を選択する必要がある。このため、カメラ用ストラップでは、吊り紐部の材質が強度のある樹脂製、革製、きつく織った布製のもので、幅が狭いものが一般的である。例えば、特許文献１の首掛けタイプのカメラ用ストラップでは、吊り紐部が布製である。
【先行技術文献】
【特許文献】
【０００３】
【特許文献１】特開２０１２−１０３７３６号公報
【考案の概要】
【考案が解決しようとする課題】
【０００４】
しかしながら、吊り紐部はベルト状でその幅が狭いため、カメラ用ストラップを首や肩に掛けたときに、吊り紐部が首や肩に食い込んで首や肩を痛めるおそれがあった。
【０００５】
また、カメラは、バッグなどに入れて持ち運ぶことがあるが、その際、カメラ本体が露出した状態でそのままバッグに収容すると、バッグの中で他の荷物と接触して傷などが付くおそれがある。そこで、カメラ本体を包むカバー（又はケース）を被せてからバッグなどに収容することが一般的に行われている。そして、従来は、カメラ用のストラップとカバーが別々であったため、撮影のたびにカバーの取り付け及び取り外しが必要となり、また、撮影中は取り外したカバーを別に持っていなければならず、その取り扱いが煩雑であった。
【０００６】
本考案は上述の点に鑑みてなされたものであり、その目的は、カメラを保持するのに充分な強度を保ちつつも首や肩に掛けたときに食い込まず、かつ、カメラを包む保護用のカバーとしても兼用できるカメラ用ストラップを提供することにある。
【課題を解決するための手段】
【０００７】
上記課題を解決するため、本考案にかかるカメラ用ストラップ（１）は、カメラ（５０）に取り付けられて首や肩に吊るして掛ける吊り紐部（１０）と、前記吊り紐部（１０）の両端部それぞれを固定する一対の留め具（２０）とを有するカメラ用ストラップ（１）であって、前記吊り紐部（１０）は、少なくとも対向する一対の角部を有し、これら一対の角部を結ぶ対角線に沿う方向を長手方向とする形状を有する布製のストールであり、前記ストールの対角線方向に対向する一対の角部を固定端（１１Ａ，１１Ｂ）とし、これら一対の固定端を細帯状にしてカメラ本体（５０）の取付具（５２Ａ，５２Ｂ）に挿通し、かつ前記留め具（２０）によって留めることで、前記吊り紐部（１０）を前記カメラ（５０）に取り付けるように構成したことを特徴とする。なお、本考案にかかるカメラ用ストラップ（１）の吊り紐部（１０）は、長方形状のストールとすることがより好ましい。
【０００８】
本考案のカメラ用ストラップによれば、吊り紐部を上記形状のストールとしたことで、当該吊り紐部が一般的なカメラ用ストラップで用いられるベルト状（細帯状）の吊り紐部よりも幅広となる。これにより、カメラを支持する吊り紐部から使用者の首や肩にかかる荷重が分散されることで、使用者の首や肩にかかる負担を効果的に軽減することができる。よって、カメラを保持するのに充分な強度を保ちつつも、首や肩に掛けたときに吊り紐部が食い込まないカメラ用ストラップを提供することができる。
【０００９】
また、本考案のカメラ用ストラップによれば、吊り紐部を上記形状のストールとしたことで、この吊り紐部における両固定部の間の部分を広げ、その部分でカメラ本体を包むことで、当該カメラ用ストラップをカメラ本体の保護用カバーとして兼用することができる。したがって、カメラ用のストラップと保護用カバーが一体となるため、撮影の際には、カメラ用ストラップによるカメラの包みを解くだけで撮影が可能となり、また、撮影が終わった後はカメラ用ストラップでカメラを包むだけでそのままバッグなどに収容することが可能となる。これにより、カメラの取り扱いが非常に簡単に行えるようになり、撮影の際の利便性が大幅に向上する。
【００１０】
さらに、本考案のカメラ用ストラップによれば、吊り紐部をストールとしたことで、カメラ用ストラップを本来のストールとしても機能させることができる。これにより、特に女性が使用することで、カメラを首や肩に吊り下げればストールを身に着けた状態となるため、高いファッション性を持たせることができる。また、吊り紐部をある程度広げて首や肩に掛けることで、夏季には首や肩の日焼けを防止することができ、冬季には首や肩の防寒及び風除けの効果を奏することができる。これらによって、カメラ用ストラップのファッション性及び機能性の向上を図ることができる。
【００１１】
なお、上記の括弧内の符号は、後述する実施形態の対応する構成要素の符号を本考案の一例として示したものである。
【考案の効果】
【００１２】
本考案にかかるカメラ用ストラップによれば、カメラを保持するのに充分な強度を保ちつつも首や肩に掛けたときにベルトが首に食い込まないようにでき、かつ、カメラを包む保護用のカバーとしても兼用できる。さらには、カメラ用ストラップにストールとしてのファッション性や機能性を持たせることができる。
【図面の簡単な説明】
【００１３】
【図１】本考案の一実施形態にかかるカメラ用ストラップの全体図である。
【図２】カメラ用ストラップの吊り紐部を広げた状態を示す図である。
【図３】カメラ用ストラップの留め具を示す図である。
【図４】吊り紐部の固定端（固定部）をカメラの取付具に挿通して取り付ける手順を説明するための図である。
【図５】吊り紐部の他の構成例を示す図である。
【図６】吊り紐部の他の構成例を示す図である。
【図７】吊り紐部の他の構成例を示す図である。
【考案を実施するための形態】
【００１４】
以下、添付図面を参照して本考案の実施形態を詳細に説明する。図１は、本考案の一実施形態にかかるカメラ用ストラップ１の全体図である。図２は、カメラ用ストラップ１の吊り紐部１０を広げた状態を示す図である。図３は、カメラ用ストラップ１の留め具２０を示す図である。図４は、カメラ用ストラップ１の吊り紐部１０の固定端（固定部）１１Ａ，１１Ｂをカメラ本体５０の取付具５１Ａ，５１Ｂ（５２Ａ，５２Ｂ）に挿通して取り付ける手順を説明するための図である。
【００１５】
図１に示すカメラ用ストラップ１は、薄い布製のストールにて構成される吊り紐部１０と、吊り紐部１０の一対の固定端１１Ａ，１１Ｂそれぞれを固定するための一対の留め具２０とを有する。吊り紐部１０は、カメラ本体５０の左右両側部に形成される取付具５１Ａ，５１Ｂに付帯される環状部材（リング部材）５２Ａ，５２Ｂに挿通されて取り付けられる。また、環状部材５２Ａ，５２Ｂを覆うように、保護部材（リング部材用カバー）５３Ａ（図４参照）が取り付く。保護部材５３Ａは、環状部材５２Ａ，５２Ｂがカメラ本体５０に直接接触することを防ぎ、カメラ本体５０を傷から保護する部材である。なお、保護部材５３Ａは、通常、カメラ本体５０の付属部品であるが、当該保護部材５３Ａは本考案のカメラ用ストラップには必須の部品ではないため、必ずしも備えていなくてもよい。したがって、図１では保護部材５３Ａの図示は省略している。
【００１６】
図２に示すように、吊り紐部１０は、広げて首や肩にかける衣類のストールであり、広げた状態ではその外形が長方形状である。また、吊り紐部１０の大きさは、吊り紐部１０の中央部を首に掛けたときに、カメラ本体５０が使用者の胸部から腹部程度にくるような大きさであることが好ましい。このため、例えば女性用と男性用など、商品のコンセプトによって具体的なサイズは変わるものの、吊り紐部１０を広げた状態での長方形の対角線の長さＬＤは１００〜２００ｃｍとなるように構成することが好ましく、１２０ｃｍ〜１８０ｃｍとすることがより好ましい。また、吊り紐部１０の幅Ｗ及び高さＨはそれぞれ、一般的なストールの大きさである４０〜１００ｃｍ、７０〜１７０ｃｍ程度が好ましい。
【００１７】
また、吊り紐部１０を構成するストールの素材は、シルクやシフォンのように軽量でかつ強度を確保できる素材を用いる。ここで、吊り紐部１０は、強度を必要とするため、ポリエステルなどの合成繊維が混合されているものがより好ましく、生地の織りが細かいものがより好ましい。また、吊り紐部１０のストールには、必要に応じて防水加工やＵＶ加工を施すことが好ましい。なお、商品のコンセプトによって具体的な加工法は変わる。例えば、シルク素材は紫外線を吸収する性質を持っているため、シルク素材の吊り紐部１０を用いる場合には、ＵＶ加工を施す必要はない。
【００１８】
図３に示すように、留め具２０は、吊り紐部１０の固定端１１Ａ，１１Ｂ及びその近傍部分を複数回通すため、２つの孔（第１挿通孔２１、第２挿通孔２２）が形成される。留め具２０の材質は、金属製、樹脂製、革製、硬い布製などがあり、特に特定しない。
【００１９】
以下、吊り紐部１０における一方の固定端１１Ａ側の構成を説明するが、固定端１１Ｂ側も同様の構成である。図４に好適に示されているように、カメラ用ストラップ１は、吊り紐部１０の固定端１１Ａが、カメラ本体５０の左右両側部に設けた取付具５１Ａの環状部材５２Ａに挿通されることで、カメラ本体５０に取り付けられる。なお、これ以外にも図示は省略するが、カメラ本体５０の取付具５１Ａに直接孔が形成され、且つ当該孔が大きい場合には、吊り紐部１０を環状部材５２Ａに通して取り付ける必要は必ずしもなく、吊り紐部１０の固定端１１Ａを取付具５１Ａに形成された孔に直接通して吊り紐部１０をカメラ本体５０に取り付けてもよい。
【００２０】
次に、図４を用いて、吊り紐部１０の固定端１１Ａ，１１Ｂをカメラ本体５０の環状部材５２Ａ，５２Ｂに挿通して取り付ける手順を説明する。なお、固定端１１Ｂを取り付ける手順は、固定端１１Ａを取り付ける手順と同様であるため省略する。
【００２１】
吊り紐部１０をカメラ本体５０に取り付ける際には、まず、吊り紐部１０の固定端１１Ａを留め具２０の第１挿通孔２１、第２挿通孔２２の順で通しておく。次に、吊り紐部１０の固定端１１Ａを細帯状にした状態（すぼめた状態）で、カメラ本体５０の取付具５１Ａに付帯される環状部材５２Ａに通す。その後、固定端１１Ａを留め具２０における第２挿通孔２２、第１挿通孔２１の順で通すと、吊り紐部１０のストール素材の摩擦によって、吊り紐部１０の固定端１１Ａ側が固定される。上述と同様に、吊り紐部１０の固定端１１Ｂ側も固定する。
【００２２】
なお、上記で説明した留め具２０に対する吊り紐部１０の通し方は一例であり、他の通し方も可能である。例えば、留め具２０に対して吊り紐部１０を通す向き（留め具２０の表裏に対する向き）は、図４に示す向きに対して反対向きに通すことも可能である。
【００２３】
以上説明したように、本実施形態のカメラ用ストラップ１では、吊り紐部１０をストール素材としたため、一般的なカメラ用ストラップで用いられるベルト状の部材よりも幅広である。これにより、カメラ本体５０を支持する吊り紐部１０からかかる荷重が分散されることで、使用者の首や肩にかかる負担を軽減することができる。また、吊り紐部１０の固定端１１Ａ，１１Ｂを２つの挿通孔が形成される留め具２０に通して留める構成とすることで、吊り紐部１０の長さ調整が容易である。
【００２４】
また、吊り紐部１０をストールとしたことで、以下のような効果が得られる。すなわち、幅広で表面積が大きいため、吊り紐部１０でカメラ本体５０を包むことができ、カメラ本体５０に軽度の衝撃が加わった場合に衝撃を緩和することができるなど、カメラ本体５０を傷や衝撃からある程度は保護することができる。また、カメラ用ストラップ１を首に掛けたときに、吊り紐部１０が首への紫外線を遮断することとなり、吊り紐部１０に日焼け防止効果を付することができる。また、吊り紐部１０をストールとすることで、寒冷時または冷房が効いている場合における防寒対策となる。また、ストールのデザイン性の高さにより、吊り紐部１０に高いデザイン性を付すことができる。
【００２５】
なお、本実施形態のカメラ用ストラップ１は、一眼レフカメラのように比較的に重量のあるカメラ本体５０のストラップとして用いて好適であるが、それ以外にも、コンパクト型のデジタルカメラのように比較的に軽量のカメラのストラップとして用いてもよい。本実施形態のカメラ用ストラップ１の吊り紐部１０は、後述のようにベルトとして充分な強度を有するため、いずれのタイプのカメラにも用いることもできる。
【００２６】
また、本実施形態のカメラ用ストラップ１を取り付けるカメラ本体５０の環状部材５２Ａ，５２Ｂは、円環のみならず、三角環であってもよい。この場合、保護部材５３Ａを取付具５１Ａ，５１Ｂに取り付けた状態の形状も、環状部材５２Ａ，５２Ｂに合わせて三角形状にすることが好ましい。
【００２７】
また、吊り紐部１０の対角線方向に対向する端部（四つの角部）のうち、カメラ本体５０に固定される２箇所の固定端（固定部）１１Ａ，１１Ｂは、カメラ本体５０に固定されない非固定端１２Ａ，１２Ｂよりも強度を高めるとより好ましい。具体的には、固定端１１Ａ，１１Ｂの生地の織りを非固定端１２より細かくしたり、図５に示すように、ストールの素材よりも強度の高い布等で構成された補強部材１５Ａ，１５Ｂを固定端１１Ａ，１１Ｂのみに付帯したりするとよい。ただし、ストールのみで固定端１１Ａ，１１Ｂの十分な強度が確保される場合には、これら固定端１１Ａ，１１Ｂを補強するための構成や工夫は、必ずしも施す必要はない。
【００２８】
本実施形態の吊り紐部１０の形状は長方形のものを例示して説明したが、これに限るものではない。例えば、図６に示すように、固定端（固定部）１１Ａ，１１Ｂのみを角のある構成とし、２つの固定端（固定部）の間に形成される非固定部１３Ａ，１３Ｂを角がない構成としてもよい。すなわち、本考案にかかるカメラ用ストラップの吊り紐部に用いるストールの形状としては、少なくとも対向する一対の角部を有し、これら一対の角部を結ぶ線に沿う方向を長手方向とする形状を有していればよい。
【００２９】
また、上述では、本実施形態の吊り紐部１０における固定端（固定部）１１Ａ，１１Ｂを補強する場合、ストール自体の布とは別部材である補強部材１５Ａ，１５Ｂにて補強する構成を例示して説明したが、これに限るものではない。例えば、図７に示すように、固定端（固定部）１１Ａ，１１Ｂの一部を折り返すことでその部分を補強用の布として固定端（固定部）１１Ｃ，１１Ｄとする構成としてもよい。この場合、折り返した部分を縫い合わせるか又は貼り合わせておくようにする。なお、図示は省略するが、図２に示すような長方形状のストールでも、その固定端１１Ａ，１１Ｂを適宜に折り返すことで補強する構成を採用することも可能である。
【００３０】
以上、本考案の実施形態を説明したが、本考案は、上記実施形態に限定されるものではなく、実用新案登録請求の範囲、及び明細書と図面に記載された技術的思想の範囲内において種々の変形が可能である。
【符号の説明】
【００３１】
１    …カメラ用ストラップ
１０  …吊り紐部
１１Ａ，１１Ｂ…固定端（固定部）
１１Ｃ，１１Ｄ…固定端（固定部）
１２Ａ，１２Ｂ…非固定端
１３Ａ，１３Ｂ…非固定部
１５Ａ，１５Ｂ…補強部材
２０  …留め具
２１  …挿通孔
２２  …挿通孔
５０  …カメラ本体
５１Ａ，５１Ｂ…取付具
５２Ａ，５２Ｂ…環状部材
５３Ａ…保護部材
ＬＤ  …対角線の長さ
Ｗ    …幅
Ｈ    …高さ
【図１】
0003194006.tif 000003
【図２】
0003194006.tif 000004
【図３】
0003194006.tif 000005
【図４】
0003194006.tif 000006
【図５】
0003194006.tif 000007
【図６】
0003194006.tif 000008
【図７】
0003194006.tif 000009